(57)【要約】      （修正有） 【課題】ガラス窓の内側面等に発生する結露により生ずる水滴を確実に回収、除去することができる結露水吸収具を提供する。【解決手段】結露水吸収具１０を使用する場合には、例えば、窓ガラスの内側面部の下部に接着面部１１からなる背面部１５を押し付けて接着固定する。この場合必要に応じて、複数個の結露水吸収具１０を長さ方向に並列して窓ガラスの内側面部下部に固定する。その後、窓ガラスの内側面部に温度差により結露が生じ、水滴となって流下した場合には、水滴は背面部１５によりガイドされて内部に収納された水滴吸収材１３に吸収される。使用の過程で水滴吸収材１３が多量の水を吸収し、袋部１２内に水が溜まった場合であっても、上記孔部１８から適宜少量が流出することから、水の重さにより結露水吸収具１０が窓ガラスの内側面部から脱落してしまうことはない。【選択図】図１
0003178918.tif 000002
【実用新案登録請求の範囲】
【請求項１】
接着面部を備えた袋部と、上記袋部内に収納される水滴吸収部材とを有し、上記接着面部により被接着面部に固定できることを特徴とする結露水吸収具。
【請求項２】
上記袋部は全体細長長方形板状に形成され、前面部と、上記前面部の下端部及び両側部において接合され、上記接着面部を形成する背面部とにより構成され、幅方向一端部には開口部を有し、
上記水滴吸収部材は、全体細長長方形状に形成されて上記袋部内部に取り出し可能に配置され、水滴を吸収した場合には上記開口部から取り出して絞り、水を排出することにより再度収納して繰り返し使用できることを特徴とする請求項１記載の結露水吸収具。
【請求項３】
上記背面部は、前面部よりも幅寸法が大きく形成されていることを特徴とする請求項１記載の結露水吸収具。
【請求項４】
上記開口部においては、上記前面部は開口側端部で上記背面部に点状接合部により接合され、上記点状接合部は、内部に配置された水滴吸収部材の長さ方向内方に位置するように設けられていることを特徴とする請求項２記載の結露水吸収具。
【請求項５】
上記前面部の開口部近傍には長さ方向に沿って複数の孔部が形成されていることを特徴とする請求項２記載の結露水吸収具。  
【請求項６】
上記水滴吸収部材はセルロース製スポンジにより形成されていることを特徴とする請求項１記載の結露水吸収具。
【請求項７】
上記接着面部は粘着性を有する素材により形成されていることを特徴とする請求項１記載の結露水吸収具。
【請求項８】
上記粘着性を有する素材はポリ塩化ビニル及びオレフィン系樹脂により形成されていることを特徴とする請求項１記載の結露水吸収具。
【考案の詳細な説明】
【技術分野】
【０００１】
本考案は、結露水吸収具に関する。
【背景技術】
【０００２】
一般に、住宅等の建築物の窓部のガラス内側面部には温度差により、結露が発生し、水滴が付着する。このような水滴は自重によりガラス内側面を伝わって落下することから、水滴処理の煩雑さを回避するために従来より結露水吸収具が提案されている。
【０００３】
例えば、このような結露水吸収具としては、従来、特許文献１に示すものが提案されている。
このような結露水吸収具は、全体三角柱状に形成された本体上に、吸水性に優れた布を底片部及び斜辺部に貼り、底片部を下にしてガラス窓の下部のサッシ上に配置して、吸水性に優れた布により落下してくる水滴を吸収するように構成されている。
【０００４】
このような結露水吸収具は、住宅等の窓ガラスの下部のサッシ上に配置するものであり、直接にガラス窓の内側面部に取り付けるものではないことから、十分に水滴を吸収することができず、吸収されなかった結露水が下部サッシ上や床に流下し、下部サッシや床面が濡れてしまうことから、下部サッシや床面を雑巾等に拭き取る必要がある場合がある、という不具合があった。
【特許文献１】特開２００９―１０８６６５号
【考案の開示】
【考案が解決しようとする課題】
【０００５】
本考案はこのような従来からの不具合を解決するためのものであって、その課題は、ガラス窓の内側面等に発生する結露により生ずる水滴を確実に回収、除去することができる結露水吸収具を提供することにある。
【課題を解決するための手段】
【０００６】
上記課題達成のため、請求項１記載の考案にあっては、接着面部を備えた袋部と、上記袋部内に収納される水滴吸収部材とを有し、上記接着面部により被接着面部に固定できることを特徴とする。
従って、上記接着面部により、例えば、窓ガラスの内側面部に固定し、窓ガラスの結露により発生する水滴を確実に袋部に回収し除去することができる。
【０００７】
請求項２記載の考案にあっては、上記袋部は全体細長長方形板状に形成され、前面部と、上記前面部の下端部及び両側部において接合され、上記接着面部を形成する背面部とにより構成され、幅方向一端部には開口部を有し、上記水滴吸収部材は、全体細長長方形状に形成されて上記袋部内部に取り出し可能に配置され、水滴を吸収した場合には上記開口部から取り出して絞り、水を排出することにより再度収納して繰り返し使用できることを特徴とする。
従って、例えば、窓ガラス等の下部横方向に沿って本考案に係る結露水吸収具を貼着して結露による水滴を受けることができる。また、水滴吸収部材は再利用することができる。
【０００８】
請求項３記載の考案にあっては、上記背面部は、前面部よりも幅寸法が大きく形成されていることを特徴とする。
従って、窓ガラス等に貼着されて配置された場合、背面部が前面部よりも上方へ突出して配置されることから、上方から流下する水滴を背面部の上端部を介して袋部内に誘導し、袋部内の水滴吸収材に吸収させることができる。
【０００９】
請求項４記載の考案にあっては、上記開口部においては、上記前面部は開口側端部で上記背面部に点状接合部により接合され、上記点状接合部は、内部に配置された水滴吸収部材の長さ方向内方に設けられていることを特徴とする。
従って、例えば、搬送時等において、開口部が下方へ向くような姿勢になった場合であっても、袋部内に収納された水滴吸収材は上記点状接合部により支持されて袋部から落下することがない。
【００１０】
請求項５記載の考案にあっては、上記前面部の開口部近傍には長さ方向に沿って複数の孔部が形成されていることを特徴とする。
従って、結露による水滴を水滴吸収材が長時間に亘り吸収した場合には袋部内には水滴吸収材が吸収した水による膨張すると共に、溜まった水でいっぱいになるが、上記複数の孔部から溜まった水を逃がすことができる。
【００１１】
請求項６記載の考案にあっては、上記水滴吸収部材はセルロース製スポンジにより形成されていることを特徴とする。
【００１２】
請求項７記載の考案にあっては、上記接着面部は粘着性を有する素材により形成されていることを特徴とする。
請求項８記載の考案にあっては、上記接着面部は、ポリ塩化ビニル及びオレフィン系樹脂により形成されていることを特徴とする。
【考案の効果】
【００１３】
請求項１記載の考案にあっては、接着面部を備えた袋部と、上記袋部内に収納される水滴吸収部材とを有し、上記接着面部により被接着面部に固定でき、上記接着面部により、例えば、窓ガラスの内側面部に固定し、窓ガラスの結露により発した水滴を上記袋部内に流下させ、袋部内で水滴吸収材に吸収させることができる。その結果、従来の結露水吸収具とは異なり、窓ガラスの下部サッシが水滴により濡れることを有効に防止することができる。
【００１４】
請求項２記載の考案にあっては、上記袋部は全体細長長方形板状に形成され、前面部と、上記前面部の下端部及び両側部において接合され、上記接着面部を形成する背面部とにより構成され、幅方向一端部には開口部を有し、上記水滴吸収部材は、全体細長長方形状に形成されて内部に取り出し可能に配置され、水滴を吸収した場合には取り出して絞り、水を排出することにより再度収納して繰り返し使用できることから、例えば、窓ガラスの内側面部の下端部において窓ガラスの幅方向に沿って配置し、流下する結露水を受け止め吸収させることができ、また、水滴吸収部材が多量に水を吸収した場合には、上記開口部から取り出して手で絞ることにより水を排出し、再度収納して繰り返し使用することができる。
【００１５】
請求項３記載の考案にあっては、上記背面部は、前面部よりも幅寸法が大きく形成され、窓ガラス等に貼着されて配置された場合、背面部が前面部よりも上方へ突出することから、上方から流下する水滴を背面部の上端部を介して袋部内に誘導し、袋部内の水滴吸収材に吸収させることができるため、効果的に水滴を除去することができる。
【００１６】
請求項４記載の考案にあっては、上記開口部においては、上記前面部は開口側端部で上記背面部に点状接合部により接合され、上記点状接合部は、内部に配置された水滴吸収部材の長さ方向両端部に設けられていることから、水滴吸収剤は一対の点状接合部の間において出し入れして交換することができると共に、水滴吸収材を収納した場合には、上記一対の点状接合部により保持されて袋部内から落下しない。
また、水滴吸収材が結露水を多量に吸い込んだ場合には、上記一対の点状接合部の間から水滴吸収材を取り出して、絞ることにより結露水を排出させ、再度、一対の点状接合部の間から袋部内に収納することができる。
【００１７】
請求項５記載の考案にあっては、上記前面部の開口部近傍には長さ方向に沿って複数の孔部が形成され、結露による水滴を水滴吸収材が長時間に亘り吸収した場合には袋部内には水滴吸収材が膨張すると共に、溜まった水でいっぱいになるが、上記複数の孔部から溜まった水を逃がすことができるように構成されていることから、水が溜まった場合の重さにより結露吸収部材が窓ガラス内側面から落下してしまい、内部の水が散乱する、といった事態を防止できる。
【００１８】
請求項６記載の考案にあっては、上記水滴吸収部材はセルロース製スポンジにより形成されていることから、水滴吸収材が多く水を吸収した場合には、水滴吸収材を取り出し、絞ることにより水を排出させて、繰り返し使用することができる。
【００１９】
請求項７記載の考案にあっては、上記接着面部は粘着性を有する素材により形成されていることから、接着面部からなる背面部により、例えば、ガラス窓等の被接着部に容易に着脱自在に取り付けて固定することができるため、使用しやすい結露水吸収具を提供することができる。
請求項８記載の考案にあっては、上記接着面部は、ポリ塩化ビニル及びオレフィン系樹脂により形成されていることから、製造コストを低減させることができる。
【図面の簡単な説明】
【００２０】
【図１】本考案に係る結露吸収具の一実施の形態を示す斜視図である。
【図２】本考案に係る結露吸収具の一実施の形態の使用状態を示す斜視説明図である。
【考案を実施するための最良の形態】
【００２１】
以下、添付図面に示す実施の形態に基づき、本考案を詳細に説明する。
図１に示すように、本実施の形態に係る結露水吸収具１０は、自己吸着性を有する接着面部１１を備えた袋部１２と、上記袋部１２内に収納される水滴吸収部材１３とを有し、上記接着面部１１により被接着面部に固定できるように構成されている。上記接着面部１１はポリ塩化ビニル及びオレフィン系樹脂により形成されている。
【００２２】
上記袋部１２は、平面細長長方形状に形成され全体として薄型板状に形成されている。
袋部１２は、前面部１４と、上記前面部１４の下端部及び両側部において接合され、上記接着面部１１を形成する背面部１５とにより構成され、幅方向一端部には長さ方向全域に亘って開口部１６が形成され、上記水滴吸収部材１３は、全体細長長方形状に形成されて上記袋部１２内に配置されている。
上記水滴吸収材１３はセルロース製スポンジにより形成されており、全体細長長方形状に形成され、袋部１２内に収納しうるように、幅寸法及び長さ寸法は前面部１４よりも短く形成されている。
本実施の形態にあっては、上記背面部１５は、前面部１４よりも幅寸法が大きく形成されている。
【００２３】
上記開口部１６においては、上記前面部１４は開口側端部で上記背面部に点状接合部１７、１７により接合され、上記点状接合部１７、１７は、内部に配置された水滴吸収部材１３の長さ方向内方に位置しうるように設けられている。
【００２４】
上記前面部１４の開口部１６近傍には長さ方向に沿って複数の孔部１８が形成されている。本実施の形態にあっては、７個の円形孔部１８が開設されている。  
【００２５】
以下、本実施の形態に係る結露水吸収具１０の使用方法について説明する。
結露水吸収具１０を使用する場合には、例えば、窓ガラス１９の内側面部の下部に接着面部１１からなる背面部１５を押し付けて接着固定する。この場合必要に応じて、複数個の結露水吸収具１０を長さ方向に並列して窓ガラス１９の内側面部下部に固定する。
【００２６】
その後、窓ガラス１９の内側面部に温度差により結露が生じ、水滴となって流下した場合には、水滴は背面部１５によりガイドされて内部に収納された水滴吸収材１３に吸収される。
【００２７】
使用の過程で水滴吸収材１３が多量の水を吸収し、袋部１２内に水が溜まった場合であっても、上記孔部１８から適宜少量が流出することから、水の重さにより結露水吸収具１０が窓ガラス１９の内側面部から脱落してしまうことはない。
【００２８】
なお、水滴吸収部材及び接着面部の素材、及び袋部の具体的構成に関しては上記実施の形態に限定されない。また、被接着面部として窓ガラスの内側面部を例に説明したが、上記実施の形態に限定されず、平面部であれば様々な箇所
に接着させて使用することができる。
【産業上の利用可能性】
【００２９】
本考案は広く結露水吸収具に適用することができることから、産業上の利用可能性を有している。
【符号の説明】
【００３０】
１０  結露水吸収具
１１  接着面部
１２  袋部
１３  水滴吸収材
１４  前面部
１５  背面部
１６  開口部
１７  点状接合部
１８  孔部
１９  窓ガラス    
【図１】
0003178918.tif 000003
【図２】
0003178918.tif 000004